(57)【要約】【課題】ガスセンサによる制御は空質つまり空気の汚れ改善を目的としており、センサによる検出結果により制御するものは換気装置、空気清浄装置、酸素供給装置といった付加装置の制御であり空気調和機の本来の基本である室温を制御するものではなかった。【解決手段】ガスセンサ４より検出した一酸化あるいは二酸化炭素ガス等のガス量の変化により室内における人の活動量を推定して、設定温度に対しオーバーシュートするよう目標温度を自動的に変更する構成とした。【選択図】図１
2008025961.tif 000002
【特許請求の範囲】
【請求項１】
主に一酸化あるいは二酸化炭素ガス等のガスを検出するガスセンサを有し、検出した一酸化あるいは二酸化炭素ガス等のガス量の変化により室内における人の活動量を推定して、設定温度を自動的に変更することを特徴とした空気調和機。
【請求項２】
ガスセンサにより検出した一酸化あるいは二酸化炭素ガス等のガス量が減少したときもとの設定温度に戻すことを特徴とした請求項１記載の空気調和機。
【請求項３】
設定温度から自動変化した後、一定時間経過後もとの設定温度に復帰することを特徴とした請求項１または請求項２記載の空気調和機。
【請求項４】
ガスセンサにより検出した一酸化あるいは二酸化炭素ガス等のガス量が減少したとき室内における人の活動量が減少したと判定し設定温度を変更することを特徴とした請求項１記載の空気調和機。
【請求項５】
ガスセンサにより一酸化あるいは二酸化炭素ガス等のガス量の増加割合の減少を検出した時、室内における人の活動量が減少したと判定し設定温度を段階的に変更することを特徴とした請求項１記載の空気調和機。
【発明の詳細な説明】
【技術分野】
【０００１】
本発明は、ガスセンサを有する空気調和機の制御に関するものである。
【背景技術】
【０００２】
従来のガスセンサを利用した空気調和機において、その動作は室内の空質の悪化を推測し空気調和機に併設された換気装置を稼動させることにより室内空気を清浄にするものであった（例えば、特許文献１参照）。
【０００３】
また、空気清浄装置や換気装置を有する空気調和機においてはガスセンサの検出結果により特許文献１と同様に室内の空質の悪化を推測しその結果を表示装置に表現することにより使用者に対し空気清浄装置あるいは換気装置の稼動指示を促すものであった（例えば、特許文献２参照）。
【０００４】
また、酸素供給装置を有する空気調和機においてはガスセンサによるガス量の増減が室内酸素量の増減と関連があるとして酸素供給装置の制御に利用されていた（例えば、特許文献３参照）。
【０００５】
図３は従来の空気調和機の概略構成図である。図３において、リモコン等により空気調和機が制御目標とする室温設定がなされ運転が開始されると、空気調和機は温度センサにより室内空気温度を監視しながらその運転を制御し前期設定温度に近似させていく動作を行なう。
【特許文献１】特開平６−１５９７２６号公報
【特許文献２】特開２００４−３８６４号公報
【特許文献３】特開２００５−１７２２９５号公報
【発明の開示】
【発明が解決しようとする課題】
【０００６】
特許文献１には、換気装置を有する空気調和機であって換気センサによる検出結果を室内のよごれ指標としあらかじめ設定された値を超えると換気装置が動作する構成が記載されている。
【０００７】
特許文献２には空気清浄装置、換気装置、除湿装置、加湿装置を具備する空気調和機であって室内空気の汚染の検出により前記いずれかの装置の稼動を促すよう使用者に表示装置により告知する構成が記載されている。
【０００８】
特許文献３には酸素供給装置を具備した空気調和機であってガスセンサにより室内の一酸化あるいは二酸化炭素ガス等のガス量検出により酸素量を推定し前記酸素供給装置の制御を行なう構成が記載されている。
【０００９】
いずれの構成も空気の汚れ改善を目的としており、センサによる検出結果により制御するものは換気装置、空気清浄装置、酸素供給装置といった付加装置の制御を行なっているだけで、空気調和機の基本制御は行っておらず、体感温度は改善されない。
【００１０】
本発明は、上記従来の課題を解決するもので、室温の速やかな制御だけでなく体感温度を制御することにより快適性を向上することを目的とするものである。
【課題を解決するための手段】
【００１１】
上記従来の課題を解決するために、本発明の空気調和機は、主に一酸化あるいは二酸化炭素ガス等のガスを検出するガスセンサにより室内の人の活動量を推測しリモコン等によって予め設定された制御設定温度を自動制御する構成としたものである。
【発明の効果】
【００１２】
本発明の空気調和機は、使用者がリモコン等により予め設定または空気調和機の自動運転機能により自動判定した設定温度に対し目標温度を変更し温度をオーバーシュートさせる制御とすることで、体感温度を良好にし快適性を向上することができる。
【発明を実施するための最良の形態】
【００１３】
第１の発明は、主に一酸化あるいは二酸化炭素ガス等のガス濃度を検出するガスセンサを有し、検出した一酸化あるいは二酸化炭素ガス等のガス量の変化により室内における人の活動量を推定して、設定温度に対しオーバーシュートするよう目標温度を自動的に変更する構成とすることにより、体感温度を良好にし快適性を向上することができる。
【００１４】
第２の発明は、ガスセンサにより一酸化あるいは二酸化炭素ガス等のガス量を監視し一酸化あるいは二酸化炭素ガス等のガスの減少を検出したとき室内の人の活動量の低下と判定し制御温度目標を元の設定温度に戻す構成としたことで、温度制御の行き過ぎを防止することができる。
【００１５】
第３の発明は、ガスセンサにより一酸化あるいは二酸化炭素ガス等のガス量を監視するとともに検出した一酸化あるいは二酸化炭素ガス等のガス量の変化に関わらず一定時間後に制御温度目標を元の設定温度に戻す構成とすることで、人の体格等に起因する人固有の一酸化あるいは二酸化炭素ガス等のガス排出量ばらつきにより一酸化あるいは二酸化炭素ガス等のガス量のみの制御による温度制御の行き過ぎを防止することができる。
【００１６】
第４の発明は、ガスセンサにより一酸化あるいは二酸化炭素ガス等のガス量を監視し、運転開始後一酸化あるいは二酸化炭素ガス等のガス量の検出初期値よりも減少方向と判定したときには運転当初の設定温度に対し目標温度を当初の設定値に変更する構成としたことにより、冷えすぎなどを防止することができる。
【００１７】
第５の発明は、ガスセンサにより一酸化あるいは二酸化炭素ガス等のガス量を監視し、オーバーシュート制御中にガスの増加割合の減少を検出したとき制御目標値を当初の設定値に段階的に戻すことにより、急激な室温変化から緩やかな変化とする構成とすることで、冷えすぎなどによる快適性の欠如を防止することができる。
【００１８】
（実施の形態１）
図１は、本発明の実施の形態１における空気調和機の概略構成図、図２はガスセンサによる検出した一酸化あるいは二酸化炭素ガス等のガス量の変化例である。
【００１９】
通常空気調和機は温度センサにより室温を監視しておりリモコン等により設定された温度に対し室温が近似するよう運転する。
【００２０】
ここで使用するガスセンサは主に一酸化あるいは二酸化炭素ガス等のガスを検出するセンサである。一酸化あるいは二酸化炭素ガス等のガスは人の活動量に比例することが知られている。従って特定の部屋においてガスセンサによる一酸化あるいは二酸化炭素ガス等のガスの検出結果を時系列に追うことにより人の入出、増減、活動量の増減を推定可能である。図２において初期値に対し急激な変化が発生した場合人が入出した、さらに変化した場合人が増加または、室内で人が活動したために一酸化あるいは二酸化炭素ガス等のガス量が増加したと推測することができる。つまり一酸化あるいは二酸化炭素ガス等のガス
量の増加はその部屋における熱量が増加したことを意味し空気調和機にとっては熱負荷が増加したことと等価となる。
【００２１】
このことは、ある設定温度に向かって空気調和機が運転するとき熱負荷が大きいほど設定温度への到達時間が遅延されることになる。言い方を変えると設定温度に向かい緩やかに温度変化していくことから体感的には急激な温度変化が得られないため一過性ではあるが快適性の面で課題を生ずる。
【００２２】
本実施の形態では上記課題を解決するためにガスセンサにより一酸化あるいは二酸化炭素ガス等のガス量を監視し、あらかじめ実験値により求められ設定された急激な変化量を検出したとき、空気調和機の運転当初リモコン等により設定された億表温度に対し一定温度オーバーシュートするような制御温度に自動設定することにより（冷房運転なら低め、暖房運転なら高め）室温の比較的急激な温度変化を実現する。これにより一過性の体感温度を良好（冷房なら『すずしい』）にすることができ快適性を向上することができる。
【００２３】
（実施の形態２）
実施の形態１では一酸化あるいは二酸化炭素ガス等のガスの急激な変化の検出により一義的に目標値の設定を行なうが空気調和機がオーバーシュート気味に運転している期間に人数の減少や活動の減衰が発生した場合、冷房運転なら冷やしすぎ、暖房運転なら暑すぎといった快適性の欠如となりうる。本実施の形態では一酸化あるいは二酸化炭素ガス等のガス量の増加により自動設定された目標値に向かって制御中であっても、一酸化あるいは二酸化炭素ガス等のガスの減少を検出した場合、目標値を運転当初の温度設定値に戻す構成とした。
【００２４】
これによりオーバーシュート運転にブレーキを掛けることができ、快適性の欠如を防止することができる。
【００２５】
（実施の形態３）
実施の形態２では一酸化あるいは二酸化炭素ガス等のガス量の減少を活動量の低下を判定したが、低下量は実験等により求めた定量値を採用している。一方で一酸化あるいは二酸化炭素ガス等のガスの排出量は人の体格、性別、健康状態等によりばらつくためガスセンサの検出結果だけでは刻々変化する人が快適と感じる体感温度に追従しきれない可能性がある。本実施の形態では、オーバーシュート運転に時間の要素を加味する構成とした。
【００２６】
これによりガスセンサによる検出一酸化あるいは二酸化炭素ガス等のガス量の減衰が少なく活動量の減衰を判断する変化量に満たない場合でも、一定時間経過した時点で目標温度を運転当初の温度設定値に戻す制御とすることで人のばらつきによる快適性への欠如を防止することができる。
【００２７】
（実施の形態４）
実施の形態１ではガスセンサによる一酸化あるいは二酸化炭素ガス等のガス等を監視し、変化量が所定の値となったとき目標設定温度を自動変更しオーバーシュート制御させるものであるが、制御途中で人の活動量が急激に減少したときであってもオーバーシュート方向へ制御をし続けるため、快適性を欠如する可能性があった。本実施の形態ではオーバーシュート制御中にガス量の減少を検出したとき人の活動が減少または人数の減少が発生したと判断し、制御目標値を温度設定値に対するオーバーシュート制御から当初の設定値に戻すことにより急激な室温変化から緩やかな変化とする構成とする。
【００２８】
これにより冷えすぎなどの快適性の欠如を防止することができる。
【００２９】
（実施の形態５）
実施の形態１ではガスセンサによる一酸化あるいは二酸化炭素ガス等のガス等を監視し、変化量が所定の値となったとき制御設定温度を自動変更しオーバーシュート制御させるものであるが、制御途中で人の活動量が急激に減少したときであってもオーバーシュート方向へ制御をし続けるため快適性を欠如する可能性があった。本実施の形態ではオーバーシュート制御中にガスの増加割合の減少を検出したとき人の活動量が減少方向であると推定し、制御目標値を温度設定値に対するオーバーシュート制御から当初の設定値に段階的に戻す。
【００３０】
これにより急激な室温変化から緩やかな変化とする構成とすることで、冷えすぎなどによる快適性の欠如を防止することができる。
【産業上の利用可能性】
【００３１】
本発明にかかる空気調和機は、空気清浄機あるいは空気清浄装置または換気装置を具備した空気調和機に適用できる。
【図面の簡単な説明】
【００３２】
【図１】本発明の実施の形態１における空気調和機の概略図
【図２】同、検出動作例のタイムチャート
【図３】従来技術における空気調和機の概略図
【符号の説明】
【００３３】
１  温度センサ
２  電子制御部
３  表示装置
４  ガスセンサ
【図１】
2008025961.tif 000003
【図２】
2008025961.tif 000004
【図３】
2008025961.tif 000005